(57)【特許請求の範囲】
【請求項１】
床板に形成された開口に着脱自在に嵌め込むことができる床部材と、該床部材に貫通設置され室内側端部に洗濯機の排水ホースが接続される排水用貫通部材と、前記床板の下方に拡がる床下空間に配置された排水管の上流側端部を前記排水用貫通部材の床下側端部に接続する可撓性配管とを備え、前記床部材及び前記開口を平面形状が回転対称性を有するようにかつ非円形となるように形成するとともに、前記排水用貫通部材を、前記床部材の中心から所定距離だけ偏芯した位置に取り付けたことを特徴とする洗濯機用床ユニット。
【請求項２】
床板に形成された開口に回転自在に嵌め込まれる床部材と、該床部材に貫通設置され室内側端部に洗濯機の排水ホースが接続される排水用貫通部材と、前記床板の下方に拡がる床下空間に配置された排水管の上流側端部を前記排水用貫通部材の床下側端部に接続する可撓性配管とを備え、前記床部材及び前記開口を平面形状が円形となるように形成するとともに、前記排水用貫通部材を、前記床部材の中心から所定距離だけ偏芯した位置に取り付けたことを特徴とする洗濯機用床ユニット。
【請求項３】
床板に形成された開口に嵌め込まれる床部材と、該床部材に貫通設置され室内側端部に洗濯機の排水ホースが接続される排水用貫通部材と、前記床板の下方に拡がる床下空間に配置された排水管の上流側端部を前記排水用貫通部材の床下側端部に接続する可撓性配管とを備え、前記排水用貫通部材を、前記床部材に形成されたスリット状挿通孔に挿通自在にかつ該スリット状挿通孔の長手方向に沿った任意位置で前記床部材に固定自在に構成したことを特徴とする洗濯機用床ユニット。
【請求項４】
前記排水用貫通部材が前記スリット状挿通孔に挿通された状態で該スリット状挿通孔の残余開口を塞ぐ塞ぎ手段を備えた請求項３記載の洗濯機用床ユニット。
【請求項５】
請求項１乃至請求項４のいずれか一記載の洗濯機用床ユニットを備えた洗濯機用床構造であって、前記排水管をその上流側端部の平面位置が前記開口の中央近傍となるように前記床下空間に配置したことを特徴とする洗濯機用床構造。
【発明の詳細な説明】
【技術分野】
【０００１】
本発明は、洗濯機の排水ホースを床板の下方に配置された排水管に接続するための洗濯機用床ユニット及び床構造に関する。
【背景技術】
【０００２】
従来、洗濯物の滴りが床に直接落ちないように、あるいは洗濯機の排水ホースが万一外れた場合の受け皿として機能するように、住宅の洗濯機置場やサニタリーに予め防水パンを設置し、洗濯機の脚が防水パンの内側に入るよう、洗濯機を防水パンに据え付けることが多かった。
【０００３】
一方、耐水性に優れたフローリング材が開発されるようになり、水の滴りが床に落下するのを防ぐ役割はもはや不要になりつつある。また、防水パンの排水口に接続された排水ホースが外れて水が溢れるといった事態が生じる可能性は、接続構造の工夫によって減少する傾向にあるとともに、洗濯機の排水ホースが万一外れた場合、洗濯槽の容量から考えて、防水パンが十分な受け皿となることを期待することはそもそも難しい。
【０００４】
加えて、昨今の多様なニーズに応えるべく、２槽式洗濯機やドラム式洗濯機あるいは全自動洗濯機など、多種多様な洗濯機が商品化されており、幅や奥行きあるいは高さといった仕様は、防水パンへの対応がある程度なされてはいるものの、設置可能な防水パンのサイズに制限がある洗濯機も少なくない。
【０００５】
そのため、最近では、防水パンを省略してサニタリーの床に排水口を直接設置し、該排水口に洗濯機の排水ホースを取り付けるようにした新築事例やリフォーム例が増えてきた。
【０００６】
【特許文献１】特開平９−２４２１４８
【発明の開示】
【発明が解決しようとする課題】
【０００７】
このように排水口を床に直接設置してあれば、洗濯機を購入し据え付ける際、防水パンのサイズに何ら拘束されることがなくなり、それぞれのニーズに合った洗濯機を自由に選ぶことが可能となる。
【０００８】
しかしながら、防水パンが省略された状況においても、排水口の設置位置をサニタリーのどこかに決めなければならない点には何ら変わりないため、予め設置された排水口に洗濯機のホースを接続すると、排水口が露出してサニタリーの美観を損ねるといった問題や、洗面化粧台、便器あるいは汚物洗いとの位置関係によっては、購入した洗濯機がそれらと干渉し、設置そのものが困難になるといった問題を生じていた。
【０００９】
一方、新築工事やリフォーム工事の前に洗濯機の仕様や設置位置が予め決まっているケースは希であるし、決まっていたとしても買換えにはもはや対応できなくなる懸念があり、洗濯機の排水ホースをつなぐ排水口をサニタリーや洗濯機置場のどこに設ければよいか、その最適な位置を予め決定することはきわめて困難である。
【課題を解決するための手段】
【００１０】
本発明は、上述した事情を考慮してなされたもので、洗濯機の排水ホースが接続される排水口を所望の位置に動かすことが可能な洗濯機用床ユニット及び床構造を提供することを目的とする。
【００１１】
上記目的を達成するため、本発明に係る洗濯機用床ユニットは請求項１に記載したように、床板に形成された開口に着脱自在に嵌め込むことができる床部材と、該床部材に貫通設置され室内側端部に洗濯機の排水ホースが接続される排水用貫通部材と、前記床板の下方に拡がる床下空間に配置された排水管の上流側端部を前記排水用貫通部材の床下側端部に接続する可撓性配管とを備え、前記床部材及び前記開口を平面形状が回転対称性を有するようにかつ非円形となるように形成するとともに、前記排水用貫通部材を、前記床部材の中心から所定距離だけ偏芯した位置に取り付けたものである。
【００１２】
また、本発明に係る洗濯機用床ユニットは請求項２に記載したように、床板に形成された開口に回転自在に嵌め込まれる床部材と、該床部材に貫通設置され室内側端部に洗濯機の排水ホースが接続される排水用貫通部材と、前記床板の下方に拡がる床下空間に配置された排水管の上流側端部を前記排水用貫通部材の床下側端部に接続する可撓性配管とを備え、前記床部材及び前記開口を平面形状が円形となるように形成するとともに、前記排水用貫通部材を、前記床部材の中心から所定距離だけ偏芯した位置に取り付けたものである。
【００１３】
また、本発明に係る洗濯機用床ユニットは請求項３に記載したように、床板に形成された開口に嵌め込まれる床部材と、該床部材に貫通設置され室内側端部に洗濯機の排水ホースが接続される排水用貫通部材と、前記床板の下方に拡がる床下空間に配置された排水管の上流側端部を前記排水用貫通部材の床下側端部に接続する可撓性配管とを備え、前記排水用貫通部材を、前記床部材に形成されたスリット状挿通孔に挿通自在にかつ該スリット状挿通孔の長手方向に沿った任意位置で前記床部材に固定自在に構成したものである。
【００１４】
また、本発明に係る洗濯機用床ユニットは、前記排水用貫通部材が前記スリット状挿通孔に挿通された状態で該スリット状挿通孔の残余開口を塞ぐ塞ぎ手段を備えたものである。
また、本発明に係る洗濯機用床構造は、請求項１乃至請求項４のいずれか一記載の洗濯機用床ユニットを備えた洗濯機用床構造であって、前記排水管をその上流側端部の平面位置が前記開口の中央近傍となるように前記床下空間に配置したものである。
【００１５】
第１の発明に係る洗濯機用床ユニットにおいては、床部材及び該床部材が着脱自在に嵌め込まれる開口を平面形状が回転対称性を有するようにそれぞれ形成してあるので、開口に嵌め込まれた床部材をいったん取り外し、元の嵌込み位置から所定の回転角だけ回転させれば、元の嵌込み状態と同様に床板の開口に嵌め込むことができる。
【００１６】
一方、排水用貫通部材は、床部材の中心から所定距離だけ偏芯した位置に取り付けてあるので、排水用貫通部材は、床部材の回転に伴って回転移動する。
【００１７】
したがって、開口に対する床部材の嵌込み角度を適宜変更することによって、購入した洗濯機の仕様に応じた所望の位置、例えば排水用貫通部材が直接視線に入らないような位置に排水用貫通部材を移動させることが可能となり、かくして従来のように排水用貫通部材がサニタリー全体の美観を損ねたり、洗濯機の購入自由度が低下したりといった事態を未然に防止することが可能となる。
【００１８】
回転対称性とは、ある図形をある回転角で回転したときに、もとの図形に重なるような幾何学的性質を指し、例えば正多角形がこれに該当する。例えば、正方形は、９０゜、１８０゜、２７０゜回転させると、いずれも元の図形に重なる。また、正方形の四隅を同一形状で面取りし、あるいは同一曲率で丸めた形状も回転対称性を有する。なお、このような回転対称性には幾何学上、円も含まれるが、第１の発明においては円は除外されるものとし、床部材及び開口は非円形に形成する。
【００１９】
床板に設ける開口は、床部材の着脱に差し支えがないように形成し、例えば床部材の外寸とほぼ同一の内寸か、又はわずかに大きな内寸で形成すればよい。
【００２０】
排水用貫通部材は上述したように、床部材の中心から所定距離だけ偏芯した位置に取り付けられるが、ここでいう中心とは、回転対称性を有するというときの回転軸を意味し、例えば多角形であればそれらの中心に該当する。偏芯距離、すなわち床部材の中心から排水用貫通部材までの距離は、大きくとればとるほど、排水用貫通部材を大きく動かすことができる。
【００２１】
床部材は、床板と同一の仕上げ材で仕上げし、仕上げ面が床板と面一（つらいち）となるように構成しておくのが望ましい。床部材は、例えば開口の周縁に沿って取り付けられた受桟に載せるようにして開口に嵌め込む構成とすることができる。
【００２２】
床部材を着脱自在とする構成は任意であるが、例えば上述した受桟を開口の周囲に取り付けて該受桟に載せるようにするとともに、床下収納庫や床下点検口に採用されている取手を床部材の表面に取り付けておく構成が考えられる。
【００２３】
第２の発明に係る洗濯機用床ユニットにおいては、床部材及び該床部材が回転自在に嵌め込まれる開口を平面形状が円形となるようにそれぞれ形成してあるので、開口に嵌め込まれた床部材を元の嵌込み位置から所望の回転角だけ回転させることができる。
【００２４】
一方、排水用貫通部材は、床部材の中心から所定距離だけ偏芯した位置に取り付けてあるので、排水用貫通部材は、床部材の回転に伴って回転移動する。
【００２５】
したがって、開口に対する床部材の嵌込み角度を適宜変更することによって、購入した洗濯機の仕様に応じた所望の位置、例えば排水用貫通部材が直接視線に入らないような位置に排水用貫通部材を移動させることが可能となり、かくして従来のように排水用貫通部材がサニタリー全体の美観を損ねたり、洗濯機の購入自由度が低下したりといった事態を未然に防止することが可能となる。
【００２６】
床板に設ける開口は、床部材の回転に差し支えがないように形成し、例えば床部材の外寸とほぼ同一の内寸か、又はわずかに大きな内寸で形成すればよい。なお、第１の発明とは異なり、第２の発明においては、床部材を開口に対して着脱自在な構成とするかどうかは任意であり、回転は可能であるが着脱はできない構成とすることが可能である。
【００２７】
排水用貫通部材は上述したように、床部材の中心から所定距離だけ偏芯した位置に取り付けられるが、ここでいう中心とは円心を指す。偏芯距離、すなわち床部材の中心から排水用貫通部材までの距離は、大きくとればとるほど、排水用貫通部材を大きく動かすことができる。
【００２８】
床部材は、床板と同一の仕上げ材で仕上げし、仕上げ面が床板と面一となるように構成しておくのが望ましい。床部材は、例えば開口の周縁に沿って取り付けられた受桟の上に載せられるとともに、かかる状態で受桟上を摺動自在に構成することにより、開口に対して回転自在な構成とすることができる。
【００２９】
第３の発明に係る洗濯機用床ユニットにおいては、排水用貫通部材を、床部材に形成されたスリット状挿通孔に挿通自在にかつ該スリット状挿通孔の長手方向に沿った任意位置で床部材に固定自在に構成してある。
【００３０】
したがって、排水用貫通部材をスリット状挿通孔に沿って移動させることにより、購入した洗濯機の仕様に応じた所望の位置、例えば排水用貫通部材が直接視線に入らないような位置に排水用貫通部材を移動させることが可能となり、かくして従来のように排水用貫通部材がサニタリー全体の美観を損ねたり、洗濯機の購入自由度が低下したりといった事態を未然に防止することが可能となる。
【００３２】
床板に設ける開口は、例えば床部材の外寸とほぼ同一の内寸か、又はわずかに大きな内寸で形成すればよい。なお、第１の発明とは異なり、第３の発明においては、床部材を開口に対して着脱自在な構成とするかどうかは任意である。
【００３３】
床部材は、床板と同一の仕上げ材で仕上げし、仕上げ面が床板と面一となるように構成しておくのが望ましい。床部材は、例えば開口の周縁に沿って取り付けられた受桟の上に載置する構成とすることができる。
【００３４】
排水用貫通部材をスリット状挿通孔の長手方向に沿った任意位置で床部材に固定する手段は任意であり、例えば、排水用貫通部材がスリット状挿通孔に挿通された状態で該スリット状挿通孔の残余開口を所定の塞ぎ手段で塞ぐようにしてもよい。
【００３５】
第１乃至第３の発明における排水用貫通部材は、通常でいうところの排水口であり、例えば市販されている洗濯機用の排水トラップを転用することができる。可撓性配管も市販品を転用することが可能であり、例えば軟質塩ビホースを芯線コイルで保護してなるフレキシブルジョイントを採用することが可能である。
【発明を実施するための最良の形態】
【００３６】
以下、本発明に係る洗濯機用床ユニットの実施の形態について、添付図面を参照して説明する。なお、従来技術と実質的に同一の部品等については同一の符号を付してその説明を省略する。
【００３７】
（第１実施形態）
【００３８】
図１は、本実施形態に係る洗濯機用床ユニットを示した配置図及び平面図、図２は同じく断面図である。これらの図に示すように、本実施形態に係る洗濯機用床ユニット１は、床部材２と、該床部材に取り付けられた排水用貫通部材としての洗濯機用の排水トラップ３と、可撓性配管としてのフレキシブルジョイント４とから構成してある。
【００３９】
サニタリー６の床板７には開口８を形成してあり、上述した床部材２は、かかる開口８に取り付けられた矩形フレーム９にその周縁を載置することによって、開口８に対し着脱自在となっている。矩形フレーム９は、床板７を支持する根太１１の側方に固定した受桟１０に取り付けてある。
【００４０】
床部材２は、床板７と同一の仕上げ材で仕上げし、仕上げ面が床板７と面一となるように構成してあるとともに、容易に着脱ができるよう、取っ手１２，１２をその表面に設けてある。
【００４１】
排水トラップ３は図２(a)でよくわかるように床部材２に貫通設置してあり、その室内側端部に洗濯機（図示せず）の排水ホース２１を接続するとともに、その床下側端部をフレキシブルジョイント４に接続するようになっている。
【００４２】
一方、床板７の下方に拡がる床下空間２２には排水管５が配置されており、フレキシブルジョイント４の他端は、排水管５の上流側端部に接続してある。
【００４３】
ここで、床部材２及び開口８は図１(b)でよくわかるように、平面形状が回転対称性を有するように、正方形に形成してあるとともに、排水トラップ３は、床部材２の中心Ｏから距離Ｈだけ偏芯した位置に取り付けてある。
【００４４】
本実施形態に係る洗濯機用床ユニット１においては、床部材２及び該床部材が着脱自在に嵌め込まれる開口８を、平面形状が回転対称性を有するようにそれぞれ正方形に形成してある。
【００４５】
そのため、開口８に嵌め込まれた床部材２をいったん取り外し、元の嵌込み位置から９０゜、１８０゜又は２７０゜回転させれば、元の嵌込み状態と同様に床板７の開口８に嵌め込むことができる。
【００４６】
一方、排水トラップ３は、床部材２の中心Ｏから距離Ｈだけ偏芯した位置に取り付けてあるので、床部材２の回転に伴って回転移動する。
【００４７】
図３は、床部材２を９０゜、１８０゜及び２７０゜回転させたときの排水トラップ３の位置とそのときのフレキシブルジョイント４の変形状態を示した図である。
【００４８】
図４は、実際の適用例を示したものである。同図でわかるように、図４(a)は、左側に寄せて据え付けられた洗濯機４１ａに適した床部材２の嵌込み状態を示したものであり、排水トラップ３は、左側にきている（図３(b)に相当）。また、図４(b)は、右側に寄せて据え付けられた洗濯機４１ｂに適した床部材２の嵌込み状態を示したものであり、排水トラップ３は、右側にきている（図３(d)に相当）。また、図４(c)は、幅が広い２槽式洗濯機４１ｃに適した床部材２の嵌込み状態を示したものであり、排水トラップ３は、奥に回っている（図３(a)）。
【００４９】
以上説明したように、本実施形態に係る洗濯機用床ユニット１によれば、開口８に対する床部材２の嵌込み角度を適宜変更することによって、購入した洗濯機の仕様に応じた所望の位置に排水トラップ３を移動させることができる。
【００５０】
したがって、従来のように排水トラップ３がサニタリー６全体の美観を損ねたり、洗濯機の購入自由度が低下したりといった事態を未然に防止することが可能となる。
【００５１】
（第２実施形態）
【００５２】
次に、第２実施形態について説明する。なお、第１実施形態と実質的に同一の部品等については同一の符号を付してその説明を省略する。
【００５３】
図５は、本実施形態に係る洗濯機用床ユニットを示した配置図及び平面図、図６は同じく断面図である。これらの図に示すように、本実施形態に係る洗濯機用床ユニット５１は、床部材５２と、該床部材に取り付けられた排水トラップ３と、フレキシブルジョイント４とから構成してある。
【００５４】
サニタリー６の床板７には開口５８を形成してあり、上述した床部材５２は、かかる開口５８に取り付けられた環状フレーム５９にその周縁を載置してある。環状フレーム５９は、床板７を支持する根太１１の側方に固定した環状の受桟６０に取り付けてある。
【００５５】
床部材５２は、床板７と同一の仕上げ材で仕上げし、仕上げ面が床板７と面一となるように構成してある。
【００５６】
排水トラップ３は図６(a)でよくわかるように床部材５２に貫通設置してあり、その室内側端部に洗濯機（図示せず）の排水ホース２１を接続するとともに、その床下側端部をフレキシブルジョイント４に接続するようになっている。
【００５７】
一方、床板７の下方に拡がる床下空間２２には排水管５が配置されており、フレキシブルジョイント４の他端は、排水管５の上流側端部に接続してある。
【００５８】
ここで、床部材５２及び開口５８は図５(b)でよくわかるように円形に形成してあるとともに、排水トラップ３は、床部材５２の中心Ｏから距離Ｈだけ偏芯した位置に取り付けてある。
【００５９】
本実施形態に係る洗濯機用床ユニット５１においては、床部材５２及び該床部材が嵌め込まれる開口５８をそれぞれ円形に形成してあるので、開口５８に嵌め込まれた床部材５２は、元の嵌込み位置に対し、所望の角度だけ回転させた嵌込み位置をとり得る。
【００６０】
一方、排水トラップ３は、床部材５２の中心Ｏから距離Ｈだけ偏芯した位置に取り付けてあるので、床部材５２の回転に伴って回転移動する。
【００６１】
図７は、床部材５２を例えば９０゜、１８０゜及び２７０゜回転させたときの排水トラップ３の位置とそのときのフレキシブルジョイント４の変形状態を示した図である。
【００６２】
以上説明したように、本実施形態に係る洗濯機用床ユニット５１によれば、開口５８に対する床部材５２の嵌込み角度を適宜変更することによって、購入した洗濯機の仕様に応じた所望の位置に排水トラップ３を移動させることができる。
【００６３】
したがって、従来のように排水トラップ３がサニタリー６全体の美観を損ねたり、洗濯機の購入自由度が低下したりといった事態を未然に防止することが可能となる。
【００６４】
（第３実施形態）
【００６５】
次に、第３実施形態について説明する。なお、第１，２実施形態と実質的に同一の部品等については同一の符号を付してその説明を省略する。
【００６６】
図８は、本実施形態に係る洗濯機用床ユニットを示した配置図及び平面図、図９は同じく断面図である。これらの図に示すように、本実施形態に係る洗濯機用床ユニット８１は、床部材８２と、該床部材に取り付けられた排水トラップ３と、フレキシブルジョイント４とから構成してある。
【００６７】
サニタリー６の床板７には開口８８を形成してあり、上述した床部材８２は、かかる開口８８に取り付けられた矩形フレーム９にその周縁を載置してある。矩形フレーム９は、床板７を支持する根太１１の側方に固定した受桟１０に取り付けてある。
【００６８】
床部材８２は、床板７と同一の仕上げ材で仕上げし、仕上げ面が床板７と面一となるように構成してある。
【００６９】
排水トラップ３は第１，２実施形態と同様、その室内側端部に洗濯機（図示せず）の排水ホース２１を接続するとともに、その床下側端部をフレキシブルジョイント４に接続するようになっているが、本実施形態では、排水トラップ３は、床部材８２に形成されたスリット状挿通孔８３に挿通自在にかつ該スリット状挿通孔の長手方向に沿った任意位置で床部材８２に固定できるように構成してある。
【００７０】
排水トラップ３をスリット状挿通孔８３の長手方向に沿った任意の位置で固定するには、公知の固定手段を適宜用いればよい。
【００７１】
一方、床板７の下方に拡がる床下空間２２には排水管５が配置されており、フレキシブルジョイント４の他端は、排水管５の上流側端部に接続してある。
【００７２】
本実施形態に係る洗濯機用床ユニット８１においては、排水トラップ３を、床部材８２に形成されたスリット状挿通孔８３に挿通自在にかつ該スリット状挿通孔の長手方向に沿った任意位置で床部材８２に固定できるように構成してある。
【００７３】
したがって、排水トラップ３をスリット状挿通孔８３に沿って移動させることが可能となる。
【００７４】
以上説明したように、本実施形態に係る洗濯機用床ユニット８１によれば、排水トラップ３をスリット状挿通孔８３に沿って移動させることにより、購入した洗濯機の仕様に応じた所望の位置、例えば排水トラップ３が直接視線に入らないような位置に排水トラップ３を移動させることができる。
【００７５】
したがって、従来のように排水トラップ３がサニタリー６全体の美観を損ねたり、洗濯機の購入自由度が低下したりといった事態を未然に防止することが可能となる。
【００７６】
本実施形態では、排水トラップ３を公知の手段で床部材８２に固定するようにしたが、これに代えて、図１０に示すように排水トラップ３がスリット状挿通孔８３に挿通された状態で該スリット状挿通孔の残余開口を塞ぎ部材１０１で塞ぐようにしてもよい。
【００７７】
塞ぎ部材１０１は、スリット状挿通孔８３と同一の形状を有するとともに、新築工事現場あるいはリフォーム工事現場で容易に切断することができるよう、例えば軟質塩化ビニル樹脂で形成してあり、排水トラップ３の位置決めが終了した後、スリット状挿通孔８３のうち、排水トラップ３が挿通されている箇所を除く他の開口部を塞ぐことができるようになっている。
【図面の簡単な説明】
【００７８】
【図１】第１実施形態に係る洗濯機用床ユニット１の図であり、(a)は配置図、(b)は平面図。
【図２】同じく断面図。
【図３】洗濯機用床ユニット１の使用状況を示した斜視図。
【図４】洗濯機用床ユニット１の使用状況を示した配置図。
【図５】第２実施形態に係る洗濯機用床ユニット５１の図であり、(a)は配置図、(b)は平面図。
【図６】同じく断面図。
【図７】洗濯機用床ユニット５１の使用状況を示した斜視図。
【図８】第３実施形態に係る洗濯機用床ユニット８１の図であり、(a)は配置図、(b)は平面図。
【図９】同じく断面図。
【図１０】変形例に係る斜視図。
【符号の説明】
【００７９】
１，５１，８１                    洗濯機用床ユニット
２、５２，８２                    床部材
３                            排水トラップ（排水用貫通部材）
４                            フレキシブルジョイント（可撓性配管）
５                            排水管
７                            床板
８，５８，８８                    開口
８３                           スリット状挿通孔
【図１】
0005238103.tif 000002
【図２】
0005238103.tif 000003
【図３】
0005238103.tif 000004
【図４】
0005238103.tif 000005
【図５】
0005238103.tif 000006
【図６】
0005238103.tif 000007
【図７】
0005238103.tif 000008
【図８】
0005238103.tif 000009
【図９】
0005238103.tif 000010
【図１０】
0005238103.tif 000011